(57)【要約】  本発明は、相互接続されている第１の織物層（１１）と第２の織物層（１２）とを有する３次元スペーサ織物を含むリザーバ（１０）を有する化粧用品に関する。第１の層（１１）は、少なくとも、化粧品組成物（Ｃ）に対して透過性を有する。第１の層および第２の層は、特に用品が使用されている間、互いの間に前記組成物のうちの少なくともいくらかを保持することができる。
2021500132.tif 000002
【特許請求の範囲】
【請求項１】
化粧品組成物（Ｃ）に対して少なくとも部分的に透過性を有する３次元織物を含むリザーバ（１０）であって、厚さを有しており前記厚さ内に前記化粧品組成物のうちの少なくともいくらかを保持することができるリザーバ（１０）を有する化粧用品。
【請求項２】
前記３次元織物は気泡構造を有する、請求項１に記載の化粧用品。
【請求項３】
前記３次元織物は、互いに離間されている第１の織物層（１１）と第２の織物層（１２）とを含む、請求項１または２に記載の化粧用品。
【請求項４】
前記第１の層（１１）と前記第２の層（１２）とは、前記第１の層および前記第２の層のうちの少なくとも１つと好ましくは一体的に織られている接続部分（１３）により互いに相互接続されている、請求項３に記載の化粧用品。
【請求項５】
前記接続部分（１３）は織られた部分である、請求項４に記載の化粧用品。
【請求項６】
前記接続部分（１３）は個々の糸である、請求項４に記載の化粧用品。
【請求項７】
前記第１の層（１１）は、肉眼には実質的に連続的に見える、請求項４から６のいずれか一項に記載の化粧用品。
【請求項８】
少なくとも１つの層が開口部を有し、好ましくは前記第２の層（１２）が開口部（１４）を有する、請求項４から７のいずれか一項に記載の化粧用品。
【請求項９】
前記開口部の最大寸法（Ｌ）が１ｍｍから１５ｍｍの間である、請求項８に記載の化粧用品。
【請求項１０】
前記開口部（１４）の横断面積が１ｍｍ２から１００ｍｍ２の間である、請求項８または９に記載の化粧用品。
【請求項１１】
前記第１の層（１１）と前記第２の層（１２）の対向面間で測定される前記リザーバ（１０）の厚さ（ｅ）が、１ｍｍから２５ｍｍの間、さらにより良くは５ｍｍから１５ｍｍの間である、請求項３から１０のいずれか一項に記載の化粧用品。
【請求項１２】
前記３次元織物の構造体が、前記化粧品組成物に対して透過性を有する第３の層（１９）により外部からライニングされている、請求項１から１１のいずれか一項に記載の化粧用品。
【請求項１３】
前記第３の層（１９）はテクスチャード加工されている、請求項１２に記載の化粧用品。
【請求項１４】
前記リザーバ（１０）は、上面図において、１ｃｍ２から８０ｃｍ２の間を占める表面を有する、請求項１から１３のいずれか一項に記載の化粧用品。
【請求項１５】
前記リザーバ（１０）の外形は円形である、請求項１から１４のいずれか一項に記載の化粧用品。
【請求項１６】
前記化粧品組成物はファンデーション、口紅、アイシャドー、日焼け止めクリームの中から選択される、請求項１から１５のいずれか一項に記載の化粧用品。
【請求項１７】
前記リザーバは前記化粧品組成物を含有する、請求項１から１６のいずれか一項に記載の化粧用品。
【請求項１８】
請求項１から１７のいずれか一項に記載の化粧用品、およびケーシング、レフィル、または小袋を含む組立体。
【請求項１９】
請求項１から１７のいずれか一項に記載の化粧用品の前記リザーバ（１０）が保持される本体（３）と、前記本体に対して可動のカバーとを有する、特にメークアップ用の、化粧ケーシング。
【請求項２０】
前記リザーバ（１０）は、前記本体（３）に固定されている皿状部（４）内に保持される、請求項１９に記載の化粧ケーシング。
【請求項２１】
請求項１から１７のいずれか一項に記載の化粧用品の前記リザーバ上で前記化粧品組成物を集め取るステップと、前記化粧品組成物をヒトの角質物質に、特に皮膚に、場合によりアプリケータを用いて塗布するステップとを含む、メークアップ方法。
【発明の詳細な説明】
【技術分野】
【０００１】
本発明は、化粧品分野に関し、より詳細には、それに限定しないが、ヒトの角質物質、特に皮膚をメークアップまたは手入れすることを目的とする化粧用品に関する。
【背景技術】
【０００２】
多孔構造体に化粧品組成物を含浸させることが知られており、指またはアプリケータに製品を載せるために、それを前記多孔構造体に接触させることが可能である。
【０００３】
多数の特許出願の公報が、この種の化粧用品を扱っている。
【０００４】
ＷＯ  ２０１７／０１６６０８  Ａ１号は、一面が遮蔽物で覆われている、不織布で構成されている繊維の塊を含む物品を開示している。
【０００５】
この種の物品に起こる問題は、大量の組成物を貯蔵しかつ使用中にそれを徐々にかつ可能な限り完全に元の状態に戻す能力、形状記憶から恩恵を受ける必要、および様々な粘度の組成物を受容する能力、すべてが大規模販売の要件に適合する小さい外形および製造コストなど、様々な要因の間で妥協案を見つける必要があるということである。
【先行技術文献】
【特許文献】
【０００６】
【特許文献１】ＷＯ２０１７／０１６６０８Ａ１号
【特許文献２】米国特許第３１０２５５９号
【特許文献３】米国特許第３２０７１８５号
【特許文献４】米国特許第５６７３７２６号
【特許文献５】米国特許第３９４３９８０号
【特許文献６】米国特許出願公開第２００９／０１４９１００（Ａ１）号
【発明の概要】
【発明が解決しようとする課題】
【０００７】
本発明は、化粧品組成物を含有するリザーバを有する化粧用品をさらに改善することを目的としている。
【課題を解決するための手段】
【０００８】
第１の態様によれば、本発明の目的が、化粧品組成物に対して少なくとも部分的に透過性を有する３次元織物を含むリザーバであって、厚さを有しており前記厚さ内に前記化粧品組成物のうちの少なくともいくらかを保持することができるリザーバを有する化粧用品である。
【０００９】
本発明によるリザーバは、織物が３次元であることにより、組成物のための自由空間を有する。組成物を貯蔵するリザーバの収容能力は、必要に応じて、いくつかの既知のリザーバよりも、含有された同量の組成物を有する、より薄いリザーバを有することを可能にする。
【００１０】
３次元織物は気泡構造を有し得る。変形形態では、織物は糸間に残存しているいくつかの自由空間を備えて織られ、組成物がこれらの空間を満たすことができるようになっている。
【００１１】
３次元織物は、互いに離間されている第１の織物層と第２の織物層とを含むことが好ましい。第１の層と第２の層とは、第１の層および第２の層のうちの少なくとも１つと好ましくは一体的に織られている接続部分により互いに相互接続されている。接続部分は織られた部分および／または個々の糸であってもよい。
【００１２】
３次元織物は、組成物に対して透過性を有する第３の層により外部からライニングされていてもよい。第３の層はテクスチャード加工（ｔｅｘｔｕｒｅｄ）されていてもよい。
【００１３】
化粧品組成物はファンデーション、口紅、アイシャドー、日焼け止めクリームの中から選択され得る。リザーバは、最初に使用する時に、化粧品組成物をすでに含有していてもよい。
【００１４】
本発明によれば、使用され得る組成物はファンデーション、特に、液体ファンデーションである。
【００１５】
本発明によるファンデーションは、ジェル、クリーム、および乳剤から選択されることが好ましい。ファンデーションは、水中油乳剤、油中水乳剤、および水中油中水乳剤などの乳剤であることが好ましい。
【００１６】
本発明による適切なファンデーションが、当業者により周知されておりかつ一般的にファンデーション中に見られる１つまたは複数の化合物を含有し得る。具体的には、本発明によるファンデーションは溶剤、特に、皮膚または他の角質組織と接触すると蒸発する揮発性溶剤、ワックスおよび／または樹脂、顔料、塗膜形成ポリマー、充填剤、活性物質…を含有し得る。
【００１７】
本発明に基づく適切なファンデーションの乾燥物質含有量は、組成物の総重量に対して、０．１重量％から９９．０重量％の間、さらにより良くは２５．０重量％から７５．０重量％の間から成ることが好ましい。
【００１８】
当業者が、本発明の場合に使用され得る組成物を調製するために、一般共通知識を用いて、化合物の性質および組成物の乾燥物質含有量を適応させることは明らかである。
【００１９】
本発明のさらなる目的が、３次元織物の厚さ内に少なくとも部分的に含有されている、好ましくは前記厚さ内にほとんどまたは完全に含有されている化粧品組成物を備えたそのような用品である。
【００２０】
３次元織物
２Ｄ織物が、２つの直交する（縦および横）糸セットが２Ｄ製織デバイス上で織り合わせられる従来の２Ｄ製織方法により製造される。
【００２１】
リザーバを作製するのに役立つものなどの３次元気泡織物の構造は、とりわけ複合材料強化のための業界において周知されている。そのような多層織物の例が、米国特許第３１０２５５９号、米国特許第３２０７１８５号、米国特許第５６７３７２６号、米国特許第３９４３９８０号、および米国特許出願公開第２００９／０１４９１００（Ａ１）号において与えられている。本発明による３次元織物は、これらの出願または特許の教示に従って作製され得る。
【００２２】
３次元織物は編み布でなく、特別に設計された３次元織機上で、３本の直交する糸セットを織り合わせることにより得られ得る。
【００２３】
３次元織物は多層織物であってもよく、接続部分により接続されている（上層である可能性がある）第１の織物層と（底層である可能性がある）第２の織物層とを含むことが好ましい。接続部分は、好ましくは（畝部とも呼ばれる）織物壁もしくは織物柱を形成し得るか、または単離の糸もしく糸束に限定され得る。壁は、３次元織物内に内部気泡構造を形成し得る。気泡構造は、多角形または非多角形、たとえば正方形、矩形、または六角形、などの様々な形状を横断面において有するチャネルを含み得る。リザーバは、その厚さ内に２つ以上の気泡列を含み得る。
【００２４】
第１の層は平坦であるか、または外形が造られていてもよい。外形が造られた第１の層の例が、横断面において見るとハニカム構造を形成する空洞部を備えて得られる。
【００２５】
第１の層および第２の層は各々、平面であってもよい。第１の層および第２の層は平行面において延在していてもよい。いくつかの実施形態では、接続部分は第１の層および第２の層に対して直角に延在している。また、接続部分は、少なくとも部分的に、第１の層および第２の層に対してある角度で延在していてもよい。
【００２６】
３次元織物は、最上層と最下層との間に任意の中間層を含まない可能性がある。あるいは、３次元織物は、最上層および最下層から離間された少なくとも１つの中間層を含む。この中間層は、一直線にかつ／もしくはある角度でまたはループに沿って延在している糸から成り得る接続部分により、隣接層に接続され得る。
【００２７】
３次元織物は一定の高さまたは様々な高さを示し得る。高さは、上方から見ると、リザーバの中心で最大または最小であってもよい。
【００２８】
３次元織物は、接続糸が剪断に対するより良好な抵抗のために接続する層とある角度で接続糸を示し得る。これらの傾いた接続は直線接続と組合せられてもよい。織物接続部分は、第１の層と第２の層との間でループに沿って延在している糸で構成され得る。
【００２９】
第１の層と第２の層とは、接続部分と共に、同じデバイス上で織られる構造体を形成し得る。接続部分は、第１の織物層および第２の織物層と一体的に織られていてもよい。
【００３０】
３次元織物は、第１の層と第２の層との間に、組成物が溜まることができる内部空洞を画定している。これらの空洞部は、前述されている気泡、または３次元織物が織られる密度のせいで糸間に存在している空間であり得る。
【００３１】
第１の層および第２の層のうちの少なくとも１つが化粧品組成物に対して透過性を有する。第１の層と第２の層の両方が化粧品組成物に対して透過性を有することが好ましい。
【００３２】
組成物に対する第１の織物層および／または第２の織物層の透過性は、メッシュ密度を低下させることによりかつ／または別の方法でそれを貫通する開口部を切り取るかまたは設けることにより得られ得る。
【００３３】
接続部分の構造、長さおよび数ならびに糸の材料を調節することにより、３次元織物の弾性特性、およびしたがって製品を集め取る時の荷重下でのその変形を、比較的正確に制御することが可能である。したがって、組成物および手入れされる角質物質の性質に、それを容易に適応させることが可能である。接続部分は弾性的に変形することができ、集め取りが終了し次第、初期形状に戻るという良好な特性を確実にし得る。接続部分は、第１の層および第２の層に対して垂直に配向されている少なくとも１つの部分を有し得る。本発明の一例示的実施形態では、接続部分はアーチ形状を有する。このことはリザーバにより大きな圧縮率を与えることができ、第１の層および第２の層を互いに向かって移動させるためにかけられる力を低減することができる。
【００３４】
また、本発明は、第１の層の材料、テクスチャ、および特性をあれこれ選択することを可能にする。したがって、第１の層を組成物の性質および所望の感触に適応させることが容易に可能である。たとえば、非常に流動性のある組成物では、組成物の通過に対する強い抵抗をもたらす目の細かい織物を第１の層として使用することが可能である。より粘性のある組成物では、製品がより容易に通過することを可能にするより目の粗い織物を使用することが可能である。
【００３５】
また、本発明は、必要に応じて、一般にフォームリザーバで可能になるよりもより粘性のある組成物、たとえば２５℃かつ大気圧で測定された、２００ｓ−１の剪断率で４．５Ｐａ．ｓ以上かつ１００Ｐａ．ｓ以下である粘度（Ｎｏ．  ４スピンドルを備えつけられているＢｒｏｏｋｆｉｅｌｄ  Ｒｈｅｏｍａｔ  ＲＭ  １８０粘度計を使用して、測定は、回転速度および粘度を安定させるために、スピンドルの回転の１０分後に実施される）を有する組成物、を保持することを可能にする。粘度は、当然、４．５Ｐａ．ｓ未満、たとえば２００ｓ−１の剪断率で１ｍＰａ．ｓ（または１ＣＰｏ）と４．５Ｐａ．ｓの間（Ｎｏ．  ４スピンドルを備えつけられているＢｒｏｏｋｆｉｅｌｄ  Ｒｈｅｏｍａｔ  ＲＭ  １８０粘度計を使用して、測定は、回転速度および粘度を安定させるために、スピンドルの回転の１０分後に実施される）、である可能性がある。
【００３６】
組成物は２５℃で液体である、すなわちその自重で流動する可能性がある。
【００３７】
第１の層は肉眼では実質的に連続的であるように見える可能性がある。「肉眼では」という用語は、普通の視力の目で１５ｃｍの距離で見えるという意味と理解されるべきである。変形形態では、第１の層は肉眼では穿孔があるように見える。
【００３８】
第１の層は、特に製品がユーザにより集め取られる表面をそれが画定している場合、第２の層よりも開いていないことが好ましい。第２の層は、物品を受容するハウジングの底部に対向することができ、したがって組成物を集め取るのに役立たない。第２の層が開いていることは、組成物を含まない物品を第１の層を上向きにハウジング内へ押し込むことにより装填が実施される場合、リザーバに組成物を最初に装填することをより容易にすることが可能である。
【００３９】
また、接続部分は第２の層の開いていない領域から始まるので、第２の層にある開口部の存在は、第１の層と第２の層とを結合する接続部分の量を減少させることができ、したがって組成物を保持し得る自由容積を増大させることを可能にする。
【００４０】
組成物の５０重量％より多くが、物品の使用中、少なくとも一時にリザーバ内に含有され得る。ＷＯ  ２０１７／０１６６０８  Ａ１号の出願において開示されている繊維マットと比較して、リザーバの収容能力を増大させるために、所望されるだけの数の開口部を容易に作り出すことが可能である。
【００４１】
最初の使用時に、組成物のすべてがリザーバ内に含有されてもよい。言い換えれば、物品は、塗布される組成物のすべてを含有するリザーバと共に、ユーザに提供される。変形形態では、ユーザは、最初の使用時に、組成物を最初に含有するハウジング内へリザーバを押し込むことにより、それに組成物を装填する。リザーバがこのハウジングの底部に到達すると、組成物の大部分または組成物のすべてがリザーバの厚さ内に含有される。
【００４２】
一般に、開口部の最大寸法は１ｍｍから１５ｍｍの間である可能性がある。各開口部の断面積は１ｍｍ２から１００ｍｍ２の間である可能性がある。開口部のすべては同じ形状であることが好ましい。
【００４３】
少なくとも１つの層が開口部を有し、好ましくは第２の層が開口部を有する。
【００４４】
開口部の最大寸法が１ｍｍから１５ｍｍの間に及ぶ可能性がある。開口部の横断面積は１ｍｍ２から１００ｍｍ２の間に及ぶ可能性がある。
【００４５】
第１の層および第２の層の対向面間で測定されるリザーバの厚さは１ｍｍから２５ｍｍの間、さらにより良くは５ｍｍから１５ｍｍの間に及ぶ可能性がある。メークアップ用途では、１ｍｍから１５ｍｍの間の厚さが好適である可能性があり、手入れ用途では、５ｍｍから２５ｍｍの間の厚さが好適である可能性がある。
【００４６】
リザーバは、上面図において、１ｃｍ２から８０ｃｍ２の間を占める表面を有し得る。
【００４７】
リザーバは、全体的に、合成材料で、好ましくは熱可塑性物質で作製されていることが好ましい。たとえば、リザーバはポリエステル、ポリアミド、ポリオレフィン、その他のプラスチック材料で作製されている。３次元織物を作製するために使用される糸は、マルチフィラメント糸、モノフィラメント糸、および／または紡績糸である可能性がある。３次元織物は糸の縞模様を織ることにより作製され得る。
【００４８】
リザーバの外形は円形であってもよいが、他の形状、特に多角形形状が可能である。形状は、特に必要に応じてパンチまたはレーザを使用して、切削することによりもたらされた可能性がある。
【００４９】
本発明の一例示的実施形態では、第１の層は、組成物に浸透性の第３の層により外部からライニングされている。この第３の層の存在は、第１の層が無視できないサイズの穿孔を有する場合、それがリザーバの外面に亘る組成物の分配を向上させるという点において非常に特に有利であり、前記外面はこの第３の層により画定されている。
【００５０】
第３の層はテクスチャード加工されていても、テクスチャード加工されていなくてもよい。第３の層は織布材料および不織布材料から選択され得る。
【００５１】
本発明によれば、物品内に存在している化粧品組成物は第１の層と第２の層との間に大部分含有されていることが好ましい。
【００５２】
「第１の層と第２の層との間に大部分含有されている」という表現は、物品内の総量に対して７０重量％と１００重量％の間の化粧品組成物が第１の層と第２の層との間に含有されていることを意味し、有利には８０重量％と１００重量％の間、より有利には９０重量％と１００重量％の間である。
【００５３】
本発明による物品は、第１の層と第２の層との間に取り付けられている、特にフォームなどの中間吸収構造体を有さないことが好ましい。本発明による物品は、単一の第１の層と単一の第２の層とを有することがより好ましい。本発明による化粧用品は、たとえばＰＵフォーム、ＳＢＲフォーム、またはポリオレフィンフォームなどのいかなるフォーム層も有さないことが有利である。
【００５４】
その態様の別のものによる本発明のさらなる目的が、本発明によるリザーバが中に保持される本体と、本体に対して可動の、たとえば本体に蝶番で接続されている、カバーとを有する、特にメークアップ用の化粧品ケーシングである。
【００５５】
リザーバは、ユーザによるケーシングの最初の使用時、全体的に組成物で満たされていてもよい。変形形態では、組成物は本体内に含有されており、リザーバはケーシング内にまたは外に分離してパッケージングされている。薄膜シールが、組成物を含有するハウジングを閉鎖してもよい。最初の使用時、ユーザは薄膜シールを除去し、リザーバをハウジング内に嵌合させることができる。リザーバをハウジングの底部へ押し込むことにより、ユーザはそれに製品を装填することを確実にする。
【００５６】
本発明のさらなる対象が、本発明による物品およびケーシング、レフィル、または小袋を含む組立体である。
【００５７】
ケーシングは、たとえば、物品を保持する本体と、不使用時に物品へのアクセスを防止するためのカバーとを有する。このカバーは、漏れ止め式にまたは非漏れ止め式にケーシングを閉鎖することができる。物品はたとえば皿状部により担持され、ケーシングの本体は皿状部を保持するように構成されている。皿状部を伴う物品は、たとえば箱または小袋内にパッケージングされ得るレフィルを形成し得る。
【００５８】
ケーシングの本体はたとえば熱可塑性材料で作製されている。
【００５９】
ケーシングのカバーは本体にねじで留められているかまたは蝶番で接続されている。スナップ留めシステムまたは磁石固定システムが設けられて、ケーシングを閉鎖形態に保ってもよい。
【００６０】
ケーシングは鏡を有していてもよく、必要に応じて、化粧品アプリケータを保持するためのハウジングを呈し得る。
【００６１】
カバーは、上面図において、矩形、楕円形、円形、または他の外形を有し得る。
【００６２】
物品はケーシング内の任意の手段により、かつたとえばケーシングの本体に取り付けられている保持リングにより、保持され得る。
【００６３】
ケーシングは、様々な方法で装飾された、たとえば金属化された、塗料を塗られた、スクリーン印刷された、または何らかの他の方法で装飾された、外面を有し得る。
【００６４】
レフィルは、ユーザがそれを用いて組成物を集め取るために物品を使用することができるように、ケーシング上にレフィルを嵌合するだけでよい形態の物品を含有し得る。
【００６５】
レフィルでは、物品が、プラスチック材料で作製されている皿状部を保持し得る。この皿状部は、物品の高さよりも高い高さ、または変形形態では物品の高さよりも低い高さを有し得る。
【００６６】
嵌合されると、皿状部は、カバーの反対側にケーシングの底部を画定することができる。
【００６７】
また、物品は、ケーシングの本体に取り付けられている皿状部に担持されることなく、ケーシングの本体内に直接配設され得る。
【００６８】
皿状部は、スナップ留め、摩擦、またはねじ留めにより、ケーシングの本体に固定され得る。
【００６９】
物品が小袋内に含まれている場合、物品は皿状部内に配設され、レフィルを形成し得る。変形形態では、小袋は物品のみを、かつ必要に応じて組成物も、含む。小袋は熱可塑性材料で作製されてもよく、随意に金属化され得る。小袋はヒートシールにより閉鎖されている可能性がある。小袋は、引裂きの開始部を構成する切欠きを有し、それを開けやすくし得る。
【００７０】
小袋はポリオレフィンを含み得る。
【００７１】
小袋は、組成物の揮発性成分のいかなる蒸発も回避するために、密封され得る。
【００７２】
その態様の別のものによる本発明のさらなる対象が、メークアップ方法であり、前段で定められているように、本発明による物品のリザーバ上で組成物を集め取るステップと、それをヒトの角質物質、特に皮膚に、場合によりアプリケータを用いて塗布するステップとを含む。集め取りの間、ユーザは、第１の層および第２の層を互いに向かって移動させるために、接続部分を変形させることができる。
【００７３】
本発明のさらなる特徴および利点が、その非限定的例示的実施形態の以下の詳細な説明を読むことにより、かつ添付図面を検討することにより、明らかになるであろう。
【図面の簡単な説明】
【００７４】
【図１】本発明によるケーシングの例の断面図である。
【図２】リザーバ単独の図である。
【図３】リザーバの変形形態の底面図である。
【図４Ａ】リザーバおよび接続部分の変形実施形態の図である。
【図４Ｂ】リザーバおよび接続部分の変形実施形態の図である。
【図４Ｃ】リザーバおよび接続部分の変形実施形態の図である。
【図５】外層が付加された状態の、リザーバの変形実施形態の図である。
【発明を実施するための形態】
【００７５】
図１に示されている本発明による化粧用品１は、本体３を有するケーシング２を有する。
【００７６】
また、ケーシング２は、たとえば本体３に蝶番で接続されているかまたは何らかの他の方法で固定されている、たとえば本体３にねじで留められている、カバー５を有する。
【００７７】
ケーシング２は、たとえばケーシング本体３上のカバー５と同じ回転軸を中心として蝶番で接続されている要素であるアプリケータホルダ６を収容できる。
【００７８】
アプリケータ７はたとえばパウダーパフタイプであり、たとえばフォームスポンジで構成されている。
【００７９】
示されている例では、皿状部４がケーシングの本体３のハウジング８内に受容されている。皿状部４は、本発明に従って作製されているリザーバ１０を収容する。
【００８０】
ケーシング２は、皿状部４の上方に到達する環状リップ９を有し、このリップ９は、リザーバ１０を適切な位置に保つために、皿状部４の底部に向かって折り畳まれている縁部を有する。
【００８１】
図１および図２に示されている通り、リザーバ１０は、接続部分１３のセットにより結合される第１の織物層１１および第２の織物層１２を有する３次元織物により作製されている。そのような織物がベルギーの会社の３次元  ＷＥＡＶＩＮＧにより製造され得る。
【００８２】
接続部分１３の高さｅは、たとえば１ｍｍから２５ｍｍの間、さらにより良くは１０ｍｍから１５ｍｍの間である。
【００８３】
本発明によれば、リザーバ１０は組成物Ｃを含有しており、組成物はリザーバ１０の内部に大部分含有されており、特にリザーバ内に全体的に含有されている。
【００８４】
製品を集め取るためにユーザがリザーバをその指またはアプリケータ７を用いて押圧した時に組成物Ｃがリザーバ１０からゆっくり出るようにするのに役立つフィルタを第１の層１１が構成するように、この層は目の細かい層である可能性がある。
【００８５】
第２の層１２は同じ構造を有し得る。
【００８６】
図３に示されている変形形態では、第２の層１２は、特に皿状部が組成物Ｃを含有する場合にリザーバ１０が皿状部４内に嵌合された場合、組成物Ｃの通過を容易にする開口部１４を備えたより低密度の構造を有する。この作業の間、リザーバ１０は皿状部の底部の方向に押圧される。開口部１４の存在は、第１の層１１と第２の層１２との間の自由空間内へ組成物がより容易に侵入することを可能にする。開口部１４は気泡１６上に開いていることが好ましい。
【００８７】
接続部分１３はリザーバ１０の内部で様々な配向を与えられ得る。たとえば、図４Ａに示されている通り、接続部分１３は第１の層１１および第２の層１２に対して斜めに延在していてもよい。
【００８８】
図４Ａに示されている通り、接続部分１３は、交互のＶ形横断面を有する気泡１６を形成し得る。
【００８９】
図４Ｂに示されている通り、接続部分１３は互いに平行に斜めに配向されていてもよい。
【００９０】
図２に示されている通り、リザーバは第１の層と第２の層との間に中間平面織物層を含まない可能性がある。
【００９１】
変形形態では、図４Ｃに示されている通り、リザーバ１０は最上第１の層１１と最下第２の層１２との間に少なくとも１つの中間織物層を含み得る。
【００９２】
中間織物層１８は平面であってもよく、第１の織物層および第２の織物層に平行であってもよい。
【００９３】
接続部分１３が第１の層１１と第２の層１２との間に延在していてもよい。これら接続部分１３の各々は、図示の通り、第１の層を中間層１８に接続する第１の副接続部分１３ａと、中間層１８を第２の層１２に接続する第２の副接続部分１３ｂとを含み得る。
【００９４】
各副接続部分１３ａまたは１３ｂは、織物が横断面において観察された場合、そのループまたは部分を形成している糸束から成っていてもよい。
【００９５】
開口部１４は非常に多様な形状および寸法で与えられ得る。
【００９６】
リザーバ１０は、たとえばパンチング要素またはレーザを用いて切削することにより成形され得る。
【００９７】
本発明は、リザーバ１０を作り出すための特定の材料に限定されない。
【００９８】
たとえば、ポリアミド、ポリオレフィン特にポリプロピレン、またはポリエステルの糸を使用することが可能である。
【００９９】
異なる材料で作製された糸の混合物を使用することが可能である。
【０１００】
表面をより柔らかくするために、様々な処理、たとえば磨耗処理、が第１の層１１に適用され得る。第１の層は、３次元織物を作製するために使用されるいくつかの糸を切断することにより形成されている剛毛を含み得る。
【０１０１】
また、図５に示されている通り、組成物Ｃに対して透過性を有する少なくとも１つの上層１９、たとえば織物または不織布、を第１の層１１に取り付けることが可能である。この場合、製品がこの上層１５に到達することをより容易にするために、たとえば図３の変形形態の第２の層１２にある開口部１４に匹敵するサイズを有する開口部を備えた第１の層１１を製造することが有利である可能性がある。
【０１０２】
上層１５は第１の層１１にたとえば接着されるか、または何らかの他の方法で、たとえば溶接または縫合により、固定される。
【０１０３】
層１９は、所望される感触に応じて、テクスチャード加工されていてもよい。たとえば、層１９はエンボス加工されている。
【０１０４】
一変形形態では、いくつかの３次元スペーサ織物が互いに重ねられている。また、３次元スペーサ織物を自体の上に折り畳み、リザーバを形成することが可能である。
【０１０５】
本発明は、記載された例に限定されない。
【０１０６】
特に、リザーバを、何らかの他の方法で作製されたケーシング内に取り付けることが可能である。
【符号の説明】
【０１０７】
１  化粧用品
２  ケーシング
３  本体
４  皿状部
５  カバー
６  アプリケータホルダ
７  アプリケータ
８  ハウジング
９  環状リップ
１０  リザーバ
１１  第１の層、第１の織物層、最上第１の層
１２  第２の層、第２の織物層、最下第２の層
１３  接続部分
１３ａ  第１の副接続部分
１３ｂ  第２の副接続部分
１４  開口部
１５  上層
１６  気泡
１８  中間織物層
１９  第３の層
Ｃ  組成物
ｅ  厚さ
Ｌ  （開口部の）最大寸法
【図１】
2021500132.tif 000003
【図２】
2021500132.tif 000004
【図３】
2021500132.tif 000005
【図４Ａ】
2021500132.tif 000006
【図４Ｂ】
2021500132.tif 000007
【図４Ｃ】
2021500132.tif 000008
【図５】
2021500132.tif 000009
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
化粧品組成物（Ｃ）に対して少なくとも部分的に透過性を有する３次元織物を含むリザーバ（１０）であって、厚さを有しており前記厚さ内に前記化粧品組成物のうちの少なくともいくらかを保持することができるリザーバ（１０）を有する化粧用品。
【請求項２】
前記３次元織物は気泡構造を有する、請求項１に記載の化粧用品。
【請求項３】
前記３次元織物は、互いに離間されている第１の織物層（１１）と第２の織物層（１２）とを含み、前記第１の層（１１）と前記第２の層（１２）とは、前記第１の層および前記第２の層のうちの少なくとも１つと好ましくは一体的に織られている接続部分（１３）により互いに相互接続されている、請求項１または２に記載の化粧用品。
【請求項４】
前記接続部分（１３）は織られた部分または個々の糸である、請求項３に記載の化粧用品。
【請求項５】
前記第１の層（１１）は、肉眼には実質的に連続的に見える、請求項３または４に記載の化粧用品。
【請求項６】
少なくとも１つの層が開口部を有し、好ましくは前記第２の層（１２）が開口部（１４）を有し、前記開口部の最大寸法（Ｌ）が１ｍｍから１５ｍｍの間であり、前記開口部（１４）の横断面積が１ｍｍ２から１００ｍｍ２の間である、請求項３から５のいずれか一項に記載の化粧用品。
【請求項７】
前記第１の層（１１）と前記第２の層（１２）の対向面間で測定される前記リザーバ（１０）の厚さ（ｅ）が、１ｍｍから２５ｍｍの間、さらにより良くは５ｍｍから１５ｍｍの間である、請求項２から６のいずれか一項に記載の化粧用品。
【請求項８】
前記３次元織物構造体が、前記化粧品組成物に対して透過性を有する第３の層（１９）により外部からライニングされており、好ましくは前記第３の層（１９）はテクスチャード加工されている、請求項１から７のいずれか一項に記載の化粧用品。
【請求項９】
前記リザーバ（１０）は、上面図において、１ｃｍ２から８０ｃｍ２の間を占める表面を有する、請求項１から８のいずれか一項に記載の化粧用品。
【請求項１０】
前記リザーバ（１０）の外形は円形である、請求項１から９のいずれか一項に記載の化粧用品。
【請求項１１】
前記化粧品組成物はファンデーション、口紅、アイシャドー、日焼け止めクリームの中から選択される、請求項１から１０のいずれか一項に記載の化粧用品。
【請求項１２】
前記リザーバは前記化粧品組成物を含有する、請求項１から１１のいずれか一項に記載の化粧用品。
【請求項１３】
請求項１から１２のいずれか一項に記載の化粧用品、およびケーシング、レフィル、または小袋を含む組立体。
【請求項１４】
請求項１から１２のいずれか一項に記載の化粧用品の前記リザーバ（１０）が保持される本体（３）と、前記本体に対して可動のカバーとを有する化粧ケーシングであって、前記リザーバ（１０）は、前記本体（３）に固定されている皿状部（４）内に保持される、化粧ケーシング。
【請求項１５】
請求項１から１２のいずれか一項に記載の化粧用品の前記リザーバ上で前記化粧品組成物を集め取るステップと、前記化粧品組成物をヒトの角質物質に塗布するステップとを含む、メークアップ方法。
【国際調査報告】
2021500132.tif 000010
2021500132.tif 000011